(57)【要約】【課題】  首周りのシール性を格段に向上させて外気の侵入を阻止し、安全に避難することができるようにした、携帯防災フードを提供する。【解決手段】  非伸縮性で且つ防火耐熱性の光透過性フィルムで構成した頭部顔面覆部２に毒性を有する外気、浮遊する微粒子または煙を濾過するフィルタ部材３を備える。  また、前記頭部顔面覆部２には、伸縮性素材の筒状封止部４を連通構成する。  この筒状封止部４には、首周りを囲んで複数段的に首に圧接させて、外気の侵入を防止する複数の弾性部材５を設ける。  以上のような携帯防災フード１を、火災発生などの緊急時に備えて、複数枚、所定の収容袋に折り畳んで収容し、かばんなどに入れて携行する。【選択図】              図２
2007151895.tif 000002
【特許請求の範囲】
【請求項１】
頭部顔面覆部に毒性を有する外気、浮遊する微粒子または煙を濾過するフィルタ部材を備え、前記頭部顔面覆部は、非伸縮性で且つ防火耐熱性の光透過性フィルムで構成して、前記頭部顔面覆部には、伸縮性素材の筒状封止部を連通構成し、この筒状封止部には、首周りを囲んで複数段的に首外周に圧接させて、外気の侵入を防止する複数の弾性部材を設けたことを特徴とする携帯防災フード。
【請求項２】
前記筒状封止部は、それぞれ弾性部材を設けた複数の分割封止部を一部重ねた状態で順次連結して構成したことを特徴とする請求項１記載の携帯防災フード。
【発明の詳細な説明】
【技術分野】
【０００１】
本発明は、頭からかぶることで、天災や人災を要因とする災害発生初期に、発生する高温の煙や、毒性のある外気を遮断して、安全に避難することができるようにした、携帯防災フードに関するものである。
【背景技術】
【０００２】
天災や人災を要因とする災害はしばしば発生する。例えば、住宅、その他多数の人が集まる建物、乗物等で発生する災害のうち、例えば火災の場合には、高温の火炎、煙、或いは一酸化炭素等の有毒のガスにより、特に火災の発生初期に多くの犠牲者が出ている。
上記天災、人災は突然発生するもので、いつ発生するか予測は困難であり、また完全に防ぎきれるものではなく、従って、常日頃、防災の心構えと、防災備品の備えが肝要である。
【０００３】
そのような防災備品の一つとして、災害発生現場から緊急避難のために、例えば、
【特許文献１】米国特許ＮＯ．５１４６６３６で示すように、HEAT ANDSMOKE PROTECTIVE HOODが提案されている。  また、同様の防災備品として、携帯防煙マスクとして市販されている。この防煙マスクは、防火耐熱素材として、ポリイミドフィルムを用いた袋体を備えている。この袋体の開口部には伸縮性に富むゴム帯を配設して、頭からかぶった際、前記ゴム帯により首周りをシールするようにしている。  そして、前記防煙マスクには、頭からかぶった際に、口の位置に対応してフィルタが設けられており、このフィルタによって有毒ガスを遮断して呼吸できるようにしている。  前記防煙マスクによれば、短時間ではあるが（３０分程度）、素材が高温（略４００℃）に耐えられ、またフィルタにより、現場で発生した一酸化炭素等の有毒ガス、煙などを濾過できるので、安全に避難できると期待されていた。
【発明の開示】
【発明が解決しようとする課題】
【０００４】
ところで、前記袋体内で吸気すると、前記フィルタの通気抵抗が大きいので、フィルタを介して袋体内に吸引される外気の単位時間当たりの吸引量は、吸気量に比較して少なく、結果、袋体内の気圧が低下して、袋体内は負圧となり、袋体内と外気との間で差圧が生じる。
そのため、前記ゴム帯により首周りをシールしているものの、外気と袋体内との間の差圧で、前記ゴム帯のシール作用が損なわれ、外気が袋体内に侵入してしまい、せっかくのマスクが全く役に立たないという欠点がある。
本発明は、このような課題を解決するために提案されたものであって、首周りのシール性を格段に向上させて外気の侵入を阻止し、安全に避難することができるようにした、携帯防災フードを提供することを目的とするものである。
【課題を解決するための手段】
【０００５】
上記課題を解決するために、本発明では、請求項１において、頭部顔面覆部に毒性を有する外気、浮遊する微粒子または煙を濾過するフィルタ部材を備え、前記頭部顔面覆部は、非伸縮性で且つ防火耐熱性の光透過性フィルムで構成して、前記頭部顔面覆部には、伸縮性素材の筒状封止部を連通構成し、この筒状封止部には、首周りを囲んで複数段的に首外周に圧接させて、外気の侵入を防止する複数の弾性部材を設けた携帯防災フードを提案する。
また本発明では、請求項２において、前記筒状封止部は、それぞれ弾性部材を設けた複数の分割封止部を一部重ねた状態で順次連結して構成した携帯防災フードを提案する。
【発明の効果】
【０００６】
本発明によれば、携帯防災フードをかぶった際、呼吸で携帯防災フード内が負圧となっても、複数段的に形成した弾性部材を有する筒状封止部により高いシール性を発揮し、毒性を有する外気の侵入を防止することができる。
【０００７】
請求項１によれば、頭から首元までかぶった際に、フィルタ部材を通して呼吸することで、頭部顔面覆部内が負圧になっても、複数段的に形成した弾性部材を有する筒状封止部により、外気の侵入を防ぐことができる。
【０００８】
請求項２によれば、首周りに一つ一つの分割封止部の弾性部材がそれぞれ複数段的に圧接する。このため、呼吸によって頭部顔面覆部内が負圧となっても、首と圧接する複数の弾性部材によって、負圧が分担され、シール作用を確保することができる。
【発明を実施するための最良の形態】
【０００９】
以下、本発明にかかる携帯防災フードにつき、一つの実施の形態を挙げ、添付の図面に基づいて説明する。
図１に示す携帯防災フード１は、頭部顔面周囲を覆い、災害発生現場から緊急避難のために用いられるもので、携帯防災フード１は、頭部顔面覆部２に毒性を有する外気、浮遊する微粒子または煙を濾過するフィルタ部材３を備えている。
また、前記頭部顔面覆部２は、非伸縮性で且つ防火耐熱性の光透過性フィルムで構成し、さらに前記頭部顔面覆部２には、伸縮性素材の筒状封止部４を連通構成している。
そして、この筒状封止部４には、首周りを囲んで複数段的に首に圧接させて、外気の侵入を防止する複数の弾性部材５を設けている。
すなわち、この携帯防災フード１は、例えば火災発生などの緊急時に備えて、前記携帯防災フード１を複数枚、所定の収容袋（図示省略）に折り畳んで収容し、例えば室内の所定の場所に配備した非常持出しバッグ等に保管しておいたり、かばんなどに入れて携行できるようにしている。
【００１０】
前記頭部顔面覆部２は、例えば非伸縮性で、且つ防火耐熱性（略４００℃）のポリイミド製の光透過性フィルムで構成している。なお、このポリイミド製の光透過性フィルムは、４００℃程の高温中、３０分ほど溶けることなく維持できる。
【００１１】
また、前記頭部顔面覆部２に設けられるフィルタ部材３は、前記筒状封止部４から頭部顔面覆部２へ頭を入れてかぶった際、前記頭部顔面覆部２の口に対応する箇所に位置する。
このフィルタ部材３には、計数法で９０％以上の平均粒子捕集率を有する高性能のエアフィルタを用い、特に例えば周知のヘパフィルタを用いることができる。
このヘパフィルタは、高度の初期粒子捕集率を有するもので、例えば、火災などの現場で発生する一酸化炭素を初めとして、アンモニアガス、亜硫酸ガス、硫化水素等、様々な高温の有毒ガスを効果的に濾過する能力を有するものである。
勿論、フィルタ部材３には、上記ヘパフィルタの他、同等の高度の初期粒子捕集率を有する他のフィルタ部材として、ＵＬＰＡ、ＭＥＰＡ等も可能である。
【００１２】
次に前記筒状封止部４は、前記頭部顔面覆部２と弾性連通部６を介して連通しており、前記筒状封止部４は、例えば前記弾性連通部６と同素材のネオプレンゴムで一体的に構成し、筒状に形成している。勿論、前記筒状封止部４と弾性連通部６とは、別々に構成して結合してもよい。
【００１３】
そして、前記弾性部材５は、前記筒状封止部４の外周に、複数、所定間隔毎に設けている（図２参照）。前記弾性部材５は、伸縮性に富む周知の素材で構成することができ、図に示すように、断面円形の紐状のもので構成するほか、断面形状は矩形状、楕円形状など適宜であり、また、前記弾性部材５は、中空状のものでもよい。
なお、前記複数の弾性部材５は、図３に示すように、前記筒状封止部４の内周面に設けることもできる。
【００１４】
以上のような構成の携帯防災フード１において、火災などの発生時、あるいはマンション等の住宅、地下鉄、劇場等で、毒性ガス等の発生時、あらかじめ準備していた、又は携行していた収容袋を取り出し、この収容袋から、折り畳んだ状態の携帯防災フード１を一枚取り出して拡げる。
次いで、拡げた携帯防災フード１の筒状封止部４に開口側から両手を入れて筒状封止部４と弾性部材５の弾力に抗して筒状封止部４を拡げ、筒状封止部４開口側から頭部顔面覆部２へ頭を入れることができ、首元まで前記筒状封止部４をもたらして、複数の弾性部材５により、首に前記筒状封止部４を複数段的に圧接させることができる（図２参照）。
この際、前記筒状封止部４外周の弾性部材５を設けた部位のみが、首周りに複数段的に圧接し、前記弾性部材５を設けていない筒状封止部４は、首とは接触状態にはあるものの圧接してはいない。
【００１５】
前記携帯防災フード１を首元までかぶると、光透過性の頭部顔面覆部２が顔面の位置にもたらされて視界が確保されると共に、口の位置にフィルタ部材３がもたらされる。
この状態で使用者が吸気をすると、外気は、前記フィルタ部材３を介して頭部顔面覆部２内に取り入れられる。この際、外気は、前記フィルタ部材３の濾過作用によって、一酸化炭素等の有害なガスや、浮遊する微粒子、煙が濾過され、前記外気は無毒の気体となって取り込まれる。
【００１６】
しかしながら、外気が前記フィルタ部材３を通過するに際し、通気抵抗が高いため、単位時間当たりの吸気量に比較して取り入れられる外気量は少なく、急激に頭部顔面覆部２内の圧力が低下して、大気圧との間に差圧が生じる。
この差圧は、首を封止している筒状封止部４に、所定間隔毎に形成された、首と圧接状態にある複数の弾性部材５により分担されるので、シール作用を維持することができ、筒状封止部４を介して頭部顔面覆部２内に、外気が侵入するようなことはない。
【００１７】
一方、使用者が呼気をすると、今度は、呼気は、フィルタ部材３を介して、外に放出される。このときは、フィルタ部材３の通気抵抗によって、単位時間の呼気の放出量は呼気量よりも少なく、頭部顔面覆部２内の圧力は一時的に高くなる。
この高くなった圧力は、筒状封止部４の多段に形成された複数の弾性部材５により、分担され、呼気が外に漏れるということもない。
【００１８】
以上のようにして使用者は、短時間ではあるが、火災等で生じた、毒性の気体（特に一酸化炭素）、微粒子、煙等を吸い込むようなことはなく、しかも耐熱性の光透過性フィルムによって頭部を高温から守ることができ、速やかに避難することで、難を逃れることができる。
【００１９】
本発明にかかる携帯防災フード１は、以下のように構成することもできる。
なお、この実施例において、前述の実施例と同様な構成要素に対しては、同符号を付すと共に、その説明は省略する。
すなわちこの実施例における携帯防災フード１では、筒状封止部４は、複数の分割封止部４ｐを一部重ねた状態で連結して構成することができる（図４、図５参照）。
この場合、筒状封止部４は、各分割封止部４ｐの一方の端縁部を、隣接する分割封止部４ｐの他方の端縁部近傍外周部に順次、ヒートシールによって連結して構成している。
そして、前記筒状封止部４内の各分割封止部４ｐの他方の端縁部には、それぞれ弾性部材５を設けている。
【００２０】
以上のような携帯防災フード１によれば、携帯防災フード１をかぶる際、首に前記筒状封止部４をもたらすと、首周りに一つ一つの分割封止部４ｐの内側端縁部の弾性部材５がそれぞれ圧接し、各弾性部材５間の分割封止部４ｐは、分割封止部４ｐの収縮力により首と接触状態となる。
【００２１】
このため使用者が吸気をすることによって、一時的に頭部顔面覆部２内の圧力が低下して、大気圧との間に差圧が生じても、この差圧は、首を封止している筒状封止部４の複数に形成された分割封止部４ｐの端縁の弾性部材５によって分担されて解消し、確実にシール性を確保することができ、筒状封止部４を介して頭部顔面覆部２内に、外気が侵入するようなことはない。
【００２２】
また、使用者が呼気をすることによって、頭部顔面覆部２内の圧力は一時的に高くなっても、その圧力は同様に、前記複数に形成された分割封止部４ｐの端縁の弾性部材５によって分担され、呼気が外に漏れるということもない。
【図面の簡単な説明】
【００２３】
【図１】本発明にかかる携帯防災フードの一例を示した、平面図である。
【図２】図１に示す携帯防災フードをかぶった際の断面説明図である。
【図３】本発明にかかる携帯防災フードの別例を示した、断面説明図である。
【図４】本発明にかかる携帯防災フードの別例を示した、斜視説明図である。
【図５】図４に示す携帯防災フードをかぶった際の断面説明図である。
【符号の説明】
【００２４】
１                      携帯防災フード
２                      頭部顔面覆部
３                      フィルタ部材
４                      筒状封止部
４ｐ                    分割封止部
５                      弾性部材
６                      弾性連通部
【図１】
2007151895.tif 000003
【図２】
2007151895.tif 000004
【図３】
2007151895.tif 000005
【図４】
2007151895.tif 000006
【図５】
2007151895.tif 000007